(57)【要約】【課題】送信された無線信号をより確実に受信できる吐水装置を提供する。【解決手段】湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信することを特徴とする吐水装置が提供される。【選択図】図２
2010178893.tif 000002
【特許請求の範囲】
【請求項１】
湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、
前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、
前記本体部から前記ヘッド部に湯水を供給するホース部と、
を備え、
前記ヘッド部は、同じデータの前記無線信号を、前記第１の送信アンテナと、前記第２の送信アンテナと、を択一的に又は同時に使用して送信することを特徴とする吐水装置。
【請求項２】
前記ヘッド部は、前記第１の送信アンテナから送信される前記無線信号の放射方向と、前記第２の送信アンテナから送信される前記無線信号の放射方向と、を相違させる放射方向相違部をさらに有することを特徴とする請求項１記載の吐水装置。
【請求項３】
前記放射方向相違部は、前記第１の送信アンテナと、前記第２の送信アンテナと、の間に設けられ、前記無線信号を反射させる反射部であることを特徴とする請求項２記載の吐水装置。
【請求項４】
前記放射方向相違部は、前記第１の送信アンテナを載置する第１の載置面と、前記第２の送信アンテナを載置する第２の載置面と、を有し、前記第１の載置面の法線方向と、前記第２の載置面の法線方向と、が相違する載置部であることを特徴とする請求項２記載の吐水装置。
【請求項５】
前記ヘッド部は、前記吐水部が設けられた吐水ヘッド部と、使用者の手により把持される把持部と、を有し、
前記放射方向相違部は、前記吐水ヘッド部に設けられたことを特徴とする請求項２〜４のいずれか１つに記載の吐水装置。
【請求項６】
前記吐水ヘッド部は、前記ホース部から供給された湯水を一時的に貯留する貯留部を有し、
前記放射方向相違部は、前記貯留部からみて前記吐水部とは反対側に設けられたことを特徴とする請求項５記載の吐水装置。
【請求項７】
前記ヘッド部は、前記第１および第２の送信アンテナに電力を供給する電源供給部をさらに有し、
前記電源供給部は、前記第１および第２の送信アンテナよりも前記吐水部側に設けられたことを特徴とする請求項６記載の吐水装置。
【請求項８】
前記ヘッド部は、前記第１および第２の送信アンテナに電力を供給する電源供給部をさらに有し、
前記電源供給部は、前記第１および第２の送信アンテナよりも前記ホース部側に設けられたことを特徴とする請求項６記載の吐水装置。
【発明の詳細な説明】
【技術分野】
【０００１】
本発明の態様は、一般的に、吐水装置に関し、具体的には無線信号を送受信することにより吐止水や流量などを制御する吐水装置に関する。
【背景技術】
【０００２】
例えば、シャワー装置やトイレ装置などでは、使用者の操作性を向上させるために、電磁弁などの開閉弁が設けられた本体とは別にリモコン装置を備えた装置がある。そこで、無線電波を受信して電源の供給を受け、この電源を利用してデータをアンテナから送信するようにした無線タグを利用した水栓具がある（特許文献１）。また、特許文献１に記載された水栓具では、無線タグを三個準備し、それぞれに操作を可能な状態にする動作用のもの、吐水用のもの、止水用のもののように機能を別けたリモコンタイプとすることも可能である。
【０００３】
しかしながら、特許文献１に記載された水栓具では、無線タグとリーダ装置との位置関係によっては、無線電波と反射電波とが干渉して互いに打ち消し合ったり、あるいは弱め合ったりすることで、使用者が操作した動作は、正常に行われないおそれがある。すなわち、浴室やトイレ室などの閉空間では、例えばアンテナから無線電波を送信すると、その無線電波が壁面等に反射することにより反射電波が生ずる。そして、無線電波と反射電波とが干渉して互いに打ち消し合ったり、あるいは弱め合ったりすることで、受信側は、送信側からの無線電波を認識できないおそれがある。
【０００４】
そこで、第１および第２のアンテナを備え、第１のアンテナで無線信号を出力した後、第２のアンテナから再度無線信号を出力するトイレ機器システムや浴室機器システムがある（特許文献２）。特許文献２に記載された機器システムによれば、第１のアンテナと第２のアンテナとから送信される無線信号のうち、少なくともいずれか一方のアンテナから送信した無線信号を、この無線信号を受信する電子機器に確実に受信させることができ、良好な無線通信を行うことができる。
【０００５】
しかしながら、無線信号を受信する電子機器に確実に受信させるために、第１および第２のアンテナを所定の間隔を空けて設ける点においては改善の余地がある。すなわち、例えばシャワー装置のシャワーヘッドなどのように限られた空間内では、第１および第２のアンテナを所定の間隔を空けて設けることができない場合がある。
【先行技術文献】
【特許文献】
【０００６】
【特許文献１】特開２００５−１４６５５１号公報
【特許文献２】特開２００６−２２９３１７号公報
【発明の概要】
【発明が解決しようとする課題】
【０００７】
本発明の態様は、かかる課題の認識に基づいてなされたものであり、送信された無線信号をより確実に受信できる吐水装置を提供する。
【課題を解決するための手段】
【０００８】
本発明の一態様によれば、湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信することを特徴とする吐水装置が提供される。
【発明の効果】
【０００９】
本発明の態様によれば、送信された無線信号をより確実に受信できる吐水装置が提供される。
【図面の簡単な説明】
【００１０】
【図１】本発明の実施の形態にかかる吐水装置を例示する斜視模式図である。
【図２】本実施形態にかかる吐水装置の主構成を例示するブロック図である。
【図３】本実施形態のヘッド部の主構成の変形例を例示するブロック図である。
【図４】本実施形態のヘッド部の具体例を表す斜視模式図である。
【図５】本実施形態の本体部の具体例を表す斜視模式図である。
【図６】第１および第２の送信アンテナの設置形態の具体例を例示する模式図である。
【図７】第１および第２の送信アンテナから送信される無線信号の放射方向を表す断面模式図である。
【図８】第１および第２の送信アンテナの設置形態の他の具体例を例示する断面模式図である。
【図９】第１および第２の送信アンテナの設置形態のさらに他の具体例を例示する断面模式図である。
【図１０】第１および第２の送信アンテナから送信される無線信号の放射方向を表す断面模式図である。
【図１１】第１および第２の送信アンテナの設置形態のさらに他の具体例を例示する断面模式図である。
【図１２】第１および第２の送信アンテナの設置形態のさらに他の具体例を例示する断面模式図である。
【図１３】第１および第２の送信アンテナ近傍を分解して眺めた分解模式図である。
【図１４】第１および第２の送信アンテナの設置形態のさらに他の具体例を例示する平面模式図である。
【発明を実施するための形態】
【００１１】
第１の発明は、湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信することを特徴とする吐水装置である。  
この吐水装置によれば、無線信号と反射信号との位相が逆位相となり、互いに打ち消し合ったり、あるいは弱め合ったりすることを防止することができる。そのため、本体部は、ヘッド部からの無線信号をより確実に認識できる。
【００１２】
また、第２の発明は、第１の発明において、前記ヘッド部は、前記第１の送信アンテナから送信される前記無線信号の放射方向と、前記第２の送信アンテナから送信される前記無線信号の放射方向と、を相違させる放射方向相違部をさらに有することを特徴とする吐水装置である。  
この吐水装置によれば、第１の送信アンテナと、第２の送信アンテナと、が十分に離間されていない場合であっても、第１の送信アンテナおよび第２の送信アンテナの少なくともいずれかからの無線信号を受信アンテナが受信することにより、本体部は、ヘッド部からの無線信号をより確実に認識できる。そのため、マルチパスフェージングを解消させることができる。
【００１３】
また、第３の発明は、第２の発明において、前記放射方向相違部は、前記第１の送信アンテナと、前記第２の送信アンテナと、の間に設けられ、前記無線信号を反射させる反射部であることを特徴とする吐水装置である。  
この吐水装置によれば、反射部は、第１および第２の送信アンテナからの無線信号をそれぞれ反射することにより、それぞれの無線信号の放射方向を互いに相違させることができる。そのため、無線信号と反射信号との位相が逆位相となり、互いに打ち消し合ったり、あるいは弱め合ったりすることを防止することができ、マルチパスフェージングを解消させることができる。
【００１４】
また、第４の発明は、第２の発明において、前記放射方向相違部は、前記第１の送信アンテナを載置する第１の載置面と、前記第２の送信アンテナを載置する第２の載置面と、を有し、前記第１の載置面の法線方向と、前記第２の載置面の法線方向と、が相違する載置部であることを特徴とする吐水装置である。  
この吐水装置によれば、載置部は、第１および第２の送信アンテナの載置面のそれぞれの法線方向を相違させることにより、第１および第２の送信アンテナからのそれぞれの無線信号の放射方向を互いに相違させることができる。そのため、無線信号と反射信号との位相が逆位相となり、互いに打ち消し合ったり、あるいは弱め合ったりすることを防止することができ、マルチパスフェージングを解消させることができる。
【００１５】
また、第５の発明は、第２〜第４のいずれか１つの発明において、前記ヘッド部は、前記吐水部が設けられた吐水ヘッド部と、使用者の手により把持される把持部と、を有し、前記放射方向相違部は、前記吐水ヘッド部に設けられたことを特徴とする吐水装置である。  
この吐水装置によれば、第１および第２の送信アンテナが使用者の手で覆われるおそれは少なく、第１および第２の送信アンテナから送信されたそれぞれの無線信号が使用者の手から影響を受けるおそれは少ない。また、ヘッド部の限られた空間を効率的に利用することができる。
【００１６】
また、第６の発明は、第５の発明において、前記吐水ヘッド部は、前記ホース部から供給された湯水を一時的に貯留する貯留部を有し、前記放射方向相違部は、前記貯留部からみて前記吐水部とは反対側に設けられたことを特徴とする吐水装置である。  
この吐水装置によれば、第１および第２の送信アンテナから送信されたそれぞれの無線信号が、湯水から影響を受けるおそれは少ない。また、ヘッド部の限られた空間を効率的に利用することができる。
【００１７】
また、第７の発明は、第６の発明において、前記ヘッド部は、前記第１および第２の送信アンテナに電力を供給する電源供給部をさらに有し、前記電源供給部は、前記第１および第２の送信アンテナよりも前記吐水部側に設けられたことを特徴とする吐水装置である。  
この吐水装置によれば、第１および第２の送信アンテナから送信されたそれぞれの無線信号が、電源供給部から影響を受けるおそれは少ない。また、ヘッド部の限られた空間を効率的に利用することができる。
【００１８】
また、第８の発明は、第６の発明において、前記ヘッド部は、前記第１および第２の送信アンテナに電力を供給する電源供給部をさらに有し、前記電源供給部は、前記第１および第２の送信アンテナよりも前記ホース部側に設けられたことを特徴とする吐水装置である。  
この吐水装置によれば、吐水ヘッド部の大きさを小さくすることができる。また、第１および第２の送信アンテナから送信されたそれぞれの無線信号が、電源供給部から影響を受けるおそれは少ない。さらに、ヘッド部の限られた空間を効率的に利用することができる。
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる吐水装置を例示する斜視模式図である。  
また、図２は、本実施形態にかかる吐水装置の主構成を例示するブロック図である。  
また、図３は、本実施形態のヘッド部の主構成の変形例を例示するブロック図である。
【００２０】
本実施形態にかかる吐水装置は、吐止水を切り替える電磁弁などを内蔵した本体部１００と、本体部１００からの水を導水するホース部２００と、本体部１００からホース部２００を通して供給された水を吐水するヘッド部３００と、を備える。使用者がヘッド部３００に設けられた操作部３５０を操作すると、そのヘッド部３００は、使用者の操作に応じた無線信号を本体部１００に送信する。そして、本体部１００は、ヘッド部３００から送信された無線信号を受信し、その無線信号に基づいて吐止水や吐水流量などを制御する。なお、本願明細書において「水」という場合には、冷水のみならず、加熱されたお湯も含むものとする。
【００２１】
ヘッド部３００は、図２に表したように、電源供給部３１０と、送信制御部３２０と、通信部３３０と、第１の送信アンテナ３４０ａと、第２の送信アンテナ３４０ｂと、を有する。電源供給部３１０は、例えば電池やキャパシタなどであり、送信制御部３２０を介して通信部３３０や第１および第２の送信アンテナ３４０ａ、３４０ｂなどに電力を供給する。送信制御部３２０は、使用者による操作部３５０の操作に応じて通信部３３０などの動作を制御する。通信部３３０は、送信制御部３２０からの制御信号に基づいて動作し、第１の送信アンテナ３４０ａおよび第２の送信アンテナ３４０ｂを介して本体部１００へ無線信号を送信する。なお、この無線信号は、例えば電波などである。また、第１の送信アンテナ３４０ａおよび第２の送信アンテナ３４０ｂは、例えば「パッチアンテナ」などと呼ばれるアンテナである。
【００２２】
本体部１００は、図２に表したように、受信アンテナ１１０と、受信制御部１２０と、電源供給部１３０と、第１の電磁弁１４０ａと、第２の電磁弁１４０ｂと、第３の電磁弁１４０ｃと、を有する。なお、電磁弁の設置数は、３つに限定されず、２つ以下であってもよいし４つ以上であってもよい。但し、説明の便宜上、本実施形態では、３つの電磁弁が設置された場合を例に挙げて説明する。
【００２３】
受信アンテナ１１０は、ヘッド部３００から送信される無線信号を受信する。なお、この受信アンテナ１１０は、第１の送信アンテナ３４０ａおよび第２の送信アンテナ３４０ｂと同様に、例えば「パッチアンテナ」などと呼ばれるアンテナである。受信制御部１２０は、受信アンテナ１１０により受信した無線信号に基づいて第１〜第３の電磁弁１４０ａ、１４０ｂ、１４０ｃの動作を制御する。電源供給部１３０は、ヘッド部３００の電源供給部３１０と同様に、例えば電池やキャパシタなどであり、受信制御部１２０を介して第１〜第３の電磁弁１４０ａ、１４０ｂ、１４０ｃなどに電力を供給する。
【００２４】
ここで、浴室やキッチンやトイレ室などのように、壁面などにより囲まれた空間（閉空間）では、ヘッド部３００から本体部１００へ送信された無線信号は、壁面などで反射する。その結果、反射信号が発生する。そうすると、ヘッド部３００と本体部１００との位置関係によっては、無線信号と反射信号とが干渉して互いに打ち消し合ったり、あるいは弱め合ったりすることで、本体部１００は、ヘッド部３００からの無線信号を認識できないおそれがある。つまり、閉空間において、一つの無線信号のみを送信すると、反射された無線信号と送信された無線信号とが互いに干渉して打ち消し合ったり、あるいは弱め合ったりする箇所が生ずる（マルチパスフェージング）。
【００２５】
これに対して、本実施形態にかかる吐水装置では、ヘッド部３００は、第１の送信アンテナ３４０ａと、第２の送信アンテナ３４０ｂと、から同時に同じデータの無線信号を送信する。これによれば、第１の送信アンテナ３４０ａおよび第２の送信アンテナ３４０ｂのいずれか一方と、受信アンテナ１１０と、の位置関係に起因して、本体部１００がヘッド部３００からの無線信号を認識できない場合であっても、第１の送信アンテナ３４０ａおよび第２の送信アンテナ３４０ｂのいずれか他方からの無線信号を受信アンテナ１１０が受信することにより、本体部１００は、ヘッド部３００からの無線信号を認識できる。
【００２６】
なお、本実施形態にかかる吐水装置では、ヘッド部３００は、第１の送信アンテナ３４０ａと、第２の送信アンテナ３４０ｂと、のいずれか一方から交互に同じデータの無線信号を送信してもよい。この場合、ヘッド部３００は、図３に表したように、アンテナ切換部３６０をさらに有する。アンテナ切換部３６０は、送信制御部３２０の制御信号に基づいて、第１の送信アンテナ３４０ａおよび第２の送信アンテナ３４０ｂのいずれか一方と、通信部３３０と、を接続する。そのため、ヘッド部３００は、第１の送信アンテナ３４０ａおよび第２の送信アンテナ３４０ｂのいずれか一方から交互に同じデータの無線信号を送信できる。なお、ここでいう「交互」とは、無線信号を１回送信するごとに順次切り換える場合だけではなく、例えば５回などの複数回連続して無線信号を送信した後に順次切り換える場合も含むものとする。
【００２７】
第１の送信アンテナ３４０ａと、第２の送信アンテナ３４０ｂと、は互いに離間して設置されることがより好ましい。但し、ヘッド部３００内のような限られた空間内において、第１の送信アンテナ３４０ａと、第２の送信アンテナ３４０ｂと、を離間させて設置することは困難な場合がある。これに対して、本実施形態の第１および第２の送信アンテナ３４０ａ、３４０ｂの設置形態によれば、ヘッド部３００内のような限られた空間内に複数の送信アンテナを設置する場合であっても、マルチパスフェージングを解消させることができる。以下、ヘッド部３００および本体部１００の具体例と、第１の送信アンテナ３４０ａおよび第２の送信アンテナ３４０ｂの設置形態の具体例と、について図面を参照しつつ説明する。
【００２８】
まず、ヘッド部３００および本体部１００の具体例について、図面を参照しつつ説明する。  
図４は、本実施形態のヘッド部の具体例を表す斜視模式図である。  
なお、図４（ａ）は、ヘッド部の吐水部とは反対側から眺めた斜視模式図であり、図４（ｂ）は、ヘッド部の吐水部側から眺めた斜視模式図である。
【００２９】
ヘッド部３００は、手で持つことができる把持部３０１と、把持部３０１の一端に設けられた吐水ヘッド部３０２と、把持部３０１の他端に設けられホース部２００と接続されるホース接続部３０３と、を有する。吐水ヘッド部３０２は、図４（ｂ）に表したように、吐水部３７０を有し、本体部１００からホース部２００を通して供給された水を吐水部３７０から吐水できる。
【００３０】
また、把持部３０１の吐水ヘッド部３０２側には、吐水部３７０からの吐止水や吐水流量を切り替える操作部３５０が設けられている。この操作部３５０は、流調スイッチ３５１と、切スイッチ３５２と、を有する。すなわち、使用者は、流調スイッチ３５１を操作することにより、吐水部３７０から吐水を開始させたり、吐水部３７０からの吐水流量を調整できる。また、使用者は、切スイッチ３５２を操作することにより、吐水部３７０からの水を止水させることができる。
【００３１】
図５は、本実施形態の本体部の具体例を表す斜視模式図である。  
なお、図５は、本体部１００の内部構造を例示している。  
本体部１００は、ケーシング１０１を有し、そのケーシング１０１の内部には、図２に関して前述したように、受信アンテナ１１０と、受信制御部１２０と、電源供給部１３０と、第１の電磁弁１４０ａと、第２の電磁弁１４０ｂと、第３の電磁弁１４０ｃと、が設けられている。
【００３２】
第１〜第３の電磁弁１４０ａ、１４０ｂ、１４０ｃが閉止された状態において、使用者が流調スイッチ３５１を押すと、第１の送信アンテナ３４０ａおよび第２の送信アンテナ３４０ｂから同じデータの無線信号が送信される。受信アンテナ１１０が第１の送信アンテナ３４０ａおよび第２の送信アンテナ３４０ｂの少なくともいずれかからの無線信号を受信すると、受信制御部１２０は、第１の電磁弁１４０ａを開放する。これにより、例えば約６リットル／分程度の吐水流量（弱流量）の水が、吐水部３７０から吐水される。
【００３３】
続いて、使用者が流調スイッチ３５１を再度押すと、第１の電磁弁１４０ａが開放された場合と同様にして、受信制御部１２０は、第２の電磁弁１４０ｂを開放する。これにより、第１および第２の電磁弁１４０ａ、１４０ｂが開放されたことになり、例えば約８リットル／分程度の吐水流量（中流量）の水が、吐水部３７０から吐水される。続いて、使用者が流調スイッチ３５１を再度押すと、第１および第２の電磁弁１４０ａ、１４０ｂが開放された場合と同様にして、受信制御部１２０は、第３の電磁弁１４０ｃを開放する。これにより、第１〜第３の電磁弁１４０ａ、１４０ｂ、１４０ｃが開放されたことになり、例えば約１０リットル／分程度の吐水流量（強流量）の水が、吐水部３７０から吐水される。
【００３４】
続いて、使用者が流調スイッチ３５１を再度押すと、受信制御部１２０は、第３の電磁弁１４０ｃを閉止する。これにより、第１および第２の電磁弁１４０ａ、１４０ｂが開放されていることになり、「中流量」の水が吐水部３７０から吐水される。以下、使用者が流調スイッチ３５１を押すごとに、「弱流量」と、「中流量」と、「強流量」と、が順次往復するように切り替えられる。
【００３５】
なお、ヘッド部３００は、「弱流量」と、「中流量」と、「強流量」と、のそれぞれに応じたデータの無線信号を送信してもよいし、流調スイッチ３５１が操作されたことに関するデータの無線信号を送信してもよい。ヘッド部３００が、流調スイッチ３５１が操作されたことに関するデータの無線信号を送信する場合には、本体部１００の受信制御部１２０は、使用者により操作された流調スイッチ３５１の回数に基づいて、第１〜第３の電磁弁１４０ａ、１４０ｂ、１４０ｃの動作を制御する。すなわち、「弱流量」と、「中流量」と、「強流量」と、に関する情報は、ヘッド部３００の送信制御部３２０において判断されてもよいし、本体部１００の受信制御部１２０において判断されてもよい。いずれの場合であっても、第１の送信アンテナ３４０ａおよび第２の送信アンテナ３４０ｂから同じデータの無線信号が送信される。
【００３６】
次に、第１の送信アンテナ３４０ａおよび第２の送信アンテナ３４０ｂの設置形態の具体例について、図面を参照しつつ説明する。  
図６は、第１および第２の送信アンテナの設置形態の具体例を例示する模式図である。  また、図７は、第１および第２の送信アンテナから送信される無線信号の放射方向を表す断面模式図である。  
なお、図６（ａ）は、本具体例のヘッド部を上側から眺めた平面模式図であり、図６（ｂ）は、図６（ａ）に表したＡ−Ａ断面図である。また、図７は、図６（ａ）に表したＡ−Ａ断面図に相当する。
【００３７】
本具体例では、第１および第２の送信アンテナ３４０ａ、３４０ｂは、吐水ヘッド部３０２の内部に設けられている。そして、第１の送信アンテナ３４０ａと、第２の送信アンテナ３４０ｂと、は離間して設置されている。また、吐水ヘッド部３０２の内部であって、第１の送信アンテナ３４０ａと、第２の送信アンテナ３４０ｂと、の間には、反射部（放射方向相違部）３８１が設けられている。この反射部３８１は、例えば金属などから形成されており、第１および第２の送信アンテナ３４０ａ、３４０ｂからの無線信号を反射できる。
【００３８】
そのため、反射部３８１は、図７に表したように、第１の送信アンテナ３４０ａから放射された無線信号３４１ａと、第２の送信アンテナ３４０ｂから放射された無線信号３４１ｂと、の放射方向を互いに相違させることができる。
【００３９】
これによれば、第１の送信アンテナ３４０ａと、第２の送信アンテナ３４０ｂと、が十分に離間されていない場合であっても、第１の送信アンテナ３４０ａおよび第２の送信アンテナ３４０ｂの少なくともいずれかからの無線信号を受信アンテナ１１０が受信することにより、本体部１００は、ヘッド部３００からの無線信号を認識できる。そのため、マルチパスフェージングを解消させることができる。また、これによれば、ヘッド部３００の限られた空間を効率的に利用することができる。さらに、第１および第２の送信アンテナ３４０ａ、３４０ｂは、吐水ヘッド部３０２内に設けられているため、使用者の手により覆われるおそれは少ない。したがって、第１および第２の送信アンテナ３４０ａ、３４０ｂからそれぞれ放射された無線信号３４１ａ、３４１ｂは、使用者の手から影響を受けるおそれは少ない。
【００４０】
なお、ヘッド部３００の内部には、ホース部２００からの水を吐水部３７０に導水する流路３０４が形成されている。また、ヘッド部３００の吐水ヘッド部３０２の内部には、貯留部３０５が形成されている。この貯留部３０５には、流路３０４を導水された水が一時的に貯留される。このようにして貯留部３０５で一時的に貯留された水は、吐水部３７０から外部に吐水される。
【００４１】
ここで、第１および第２の送信アンテナ３４０ａ、３４０ｂと、反射部３８１と、は貯留部３０５からみて吐水部３７０とは反対側に設置されている。すなわち、第１および第２の送信アンテナ３４０ａ、３４０ｂからのそれぞれの無線信号３４１ａ、３４１ｂが、貯留部３０５あるいは吐水部３７０とは反対側に放射されるように、第１および第２の送信アンテナ３４０ａ、３４０ｂと、反射部３８１と、は設置されている。
【００４２】
これによれば、第１および第２の送信アンテナ３４０ａ、３４０ｂからそれぞれ放射された無線信号３４１ａ、３４１ｂは、貯留部３０５に一時的に貯留された水や、吐水部３７０から吐水された水などから影響を受けるおそれは少ない。そのため、第１および第２の送信アンテナ３４０ａ、３４０ｂからそれぞれ放射された無線信号３４１ａ、３４１ｂは、水により減衰されるおそれは少なく、受信アンテナ１１０は、より確実に無線信号３４１ａ、３４１ｂを受信できる。
【００４３】
また、電源供給部３１０は、第１および第２の送信アンテナ３４０ａ、３４０ｂよりも吐水部３７０側に設置されている。すなわち、第１および第２の送信アンテナ３４０ａ、３４０ｂからのそれぞれの無線信号３４１ａ、３４１ｂが、電源供給部３１０とは反対側に放射されるように、第１および第２の送信アンテナ３４０ａ、３４０ｂと、反射部３８１と、は設置されている。そのため、第１および第２の送信アンテナ３４０ａ、３４０ｂからそれぞれ放射された無線信号３４１ａ、３４１ｂは、電源供給部３１０から影響を受けるおそれは少ない。
【００４４】
図８は、第１および第２の送信アンテナの設置形態の他の具体例を例示する断面模式図である。  
なお、図８は、図６（ａ）に表したＡ−Ａ断面図に相当する。
【００４５】
本具体例のヘッド部３００では、電源供給部３１０は、第１および第２の送信アンテナ３４０ａ、３４０ｂよりもホース部２００側に設置されている。その他の構造については、図６に表したヘッド部３００の構造と同様である。
【００４６】
本具体例によれば、吐水ヘッド部３０２の厚さ、すなわち図８における上下方向の長さを小さくしつつ、第１および第２の送信アンテナ３４０ａ、３４０ｂからそれぞれ放射された無線信号３４１ａ、３４１ｂが電源供給部３１０から受ける影響を抑えることができる。これによれば、ヘッド部３００の限られた空間を効率的に利用しつつ第１および第２の送信アンテナ３４０ａ、３４０ｂを配置することができ、吐水ヘッド部３０２の大きさを小さく設定することができる。また、その他の効果についても、図６および図７に関して前述した効果と同様の効果を得ることができる。
【００４７】
図９は、第１および第２の送信アンテナの設置形態のさらに他の具体例を例示する断面模式図である。    
また、図１０は、第１および第２の送信アンテナから送信される無線信号の放射方向を表す断面模式図である。  
なお、図９および図１０は、図６（ａ）に表したＡ−Ａ断面図に相当する。
【００４８】
本具体例のヘッド部３００の吐水ヘッド部３０２内には、第１および第２の送信アンテナ３４０ａ、３４０ｂを載置する載置部（放射方向相違部）３８３が設けられている。この載置部３８３は、第１の載置面３８３ａと、第２の載置面３８３ｂと、を有する。第１の載置面３８３ａと、第２の載置面３８３ｂと、は、図９および図１０に表したように、同一面ではなく、法線方向が互いに相違する面である。すなわち、第１の載置面３８３ａと、第２の載置面３８３ｂと、の間のなす角度は、１８０度ではなく、例えば約１７０〜１７５度程度である。そして、第１の送信アンテナ３４０ａは、第１の載置面３８３ａに載置され、第２の送信アンテナ３４０ｂは、第２の載置面３８３ｂに載置されている。その他の構造については、図６に表したヘッド部３００の構造と同様である。
【００４９】
そのため、載置部３８３は、図１０に表したように、第１の送信アンテナ３４０ａから放射された無線信号３４１ａと、第２の送信アンテナ３４０ｂから放射された無線信号３４１ｂと、の放射方向を互いに相違させることができる。
【００５０】
これによれば、図６および図７に関して前述したように、第１の送信アンテナ３４０ａと、第２の送信アンテナ３４０ｂと、が十分に離間されていない場合であっても、第１の送信アンテナ３４０ａおよび第２の送信アンテナ３４０ｂの少なくともいずれかからの無線信号を受信アンテナ１１０が受信することにより、本体部１００は、ヘッド部３００からの無線信号を認識できる。そのため、マルチパスフェージングを解消させることができる。また、これによれば、ヘッド部３００の限られた空間を効率的に利用することができる。さらに、その他の効果についても、図６および図７に関して前述した効果と同様の効果を得ることができる。
【００５１】
なお、第１の載置面３８３ａと、第２の載置面３８３ｂと、の間のなす角度は、前述した角度（約１７０〜１７５度程度）に限定されるわけではない。載置部３８３は、第１の送信アンテナ３４０ａから放射された無線信号３４１ａと、第２の送信アンテナ３４０ｂから放射された無線信号３４１ｂと、の放射方向を互いに相違させるような傾斜角度を有していればよい。但し、第１の送信アンテナ３４０ａから放射された無線信号３４１ａと、第２の送信アンテナ３４０ｂから放射された無線信号３４１ｂと、の放射方向を相違させるために、第１の載置面３８３ａと、第２の載置面３８３ｂと、の間のなす角度は、約９０以上約１７５度以下であることが好ましい。また、第１の載置面３８３ａと、第２の載置面３８３ｂと、をヘッド部３００内の限られた空間に収納するためには、第１の載置面３８３ａと、第２の載置面３８３ｂと、の間のなす角度は、約１７０度以上約１７５度以下であることがより好ましい。
【００５２】
図１１は、第１および第２の送信アンテナの設置形態のさらに他の具体例を例示する断面模式図である。  
なお、図１１は、図６（ａ）に表したＡ−Ａ断面図に相当する。
【００５３】
本具体例のヘッド部３００では、電源供給部３１０は、図８に表したヘッド部と同様に、第１および第２の送信アンテナ３４０ａ、３４０ｂよりもホース部２００側に設置されている。その他の構造については、図１０に表したヘッド部３００の構造と同様である。
【００５４】
本具体例によれば、図８に関して前述したように、吐水ヘッド部３０２の厚さ、すなわち図１１における上下方向の長さを小さくしつつ、第１および第２の送信アンテナ３４０ａ、３４０ｂからそれぞれ放射された無線信号３４１ａ、３４１ｂが電源供給部３１０から受ける影響を抑えることができる。これによれば、ヘッド部３００の限られた空間を効率的に利用しつつ第１および第２の送信アンテナ３４０ａ、３４０ｂを配置することができ、吐水ヘッド部３０２の大きさを小さく設定することができる。また、その他の効果についても、図９および図１０に関して前述した効果と同様の効果を得ることができる。
【００５５】
図１２は、第１および第２の送信アンテナの設置形態のさらに他の具体例を例示する断面模式図である。  
また、図１３は、第１および第２の送信アンテナ近傍を分解して眺めた分解模式図である。  
なお、図１２は、図６（ａ）に表したＡ−Ａ断面図に相当する。
【００５６】
本具体例のヘッド部３００の吐水ヘッド部３０２内に設けられた第１の送信アンテナ３４０ｃと、第２の送信アンテナ３４０ｄと、は「ループアンテナ」などと呼ばれるアンテナである。そして、第１の送信アンテナ３４０ｃと、第２の送信アンテナ３４０ｄと、は離間して設置されている。また、吐水ヘッド部３０２の内部であって、第１の送信アンテナ３４０ｃと、第２の送信アンテナ３４０ｄと、の間には、反射部（放射方向相違部）３８５が設けられている。
【００５７】
つまり、第２の送信アンテナ３４０ｄと、反射部３８５と、第１の送信アンテナ３４０ｃと、は、図１３に表したように、この順に積層されている。第１および第２の送信アンテナ３４０ｃ、３４０ｄからのそれぞれの無線信号は、第１および第２の送信アンテナ３４０ｃ、３４０ｄを略直線となる方向からみたときに、その直線方向と略直交する方向に放射される。このとき、反射部３８５は、図６に関して前述した反射部３８１と同様に、例えば金属などから形成されており、第１および第２の送信アンテナ３４０ｃ、３４０ｄからの無線信号を反射できる。その他の構造については、図６に表したヘッド部３００の構造と同様である。
【００５８】
そのため、反射部３８５は、第１の送信アンテナ３４０ｃから放射された無線信号３４１ｃと、第２の送信アンテナ３４０ｄから放射された無線信号３４１ｄと、を図１２における垂直方向に放射させ、それらの放射方向を相違させることができる。そして、第１および第２の送信アンテナ３４０ｃ、３４０ｄからのそれぞれの無線信号３４１ｃ、３４１ｄは、より広範囲に放射される。
【００５９】
これによれば、「ループアンテナ」などと呼ばれる第１および第２の送信アンテナ３４０ｃ、３４０ｄを積層させた場合であっても、第１の送信アンテナ３４０ｃと、第２の送信アンテナ３４０ｄと、の間に反射部３８５を設置することにより、本体部１００は、ヘッド部３００からの無線信号を認識できる。つまり、第１の送信アンテナ３４０ｃと、第２の送信アンテナ３４０ｄと、が十分に離間されていない場合であっても、第１の送信アンテナ３４０ｃおよび第２の送信アンテナ３４０ｄの少なくともいずれかからの無線信号を受信アンテナ１１０が受信することにより、本体部１００は、ヘッド部３００からの無線信号を認識できる。そのため、マルチパスフェージングを解消させることができる。また、その他の効果についても、図６および図７に関して前述した効果と同様の効果を得ることができる。
【００６０】
図１４は、第１および第２の送信アンテナの設置形態のさらに他の具体例を例示する平面模式図である。  
なお、図１４は、図６（ａ）と同様に、本具体例のヘッド部を上側から眺めた平面模式図である。
【００６１】
本具体例では、第１および第２の送信アンテナ３４０ａ、３４０ｂは、吐水ヘッド部３０２の内部であって、その吐水ヘッド部３０２の周縁部に設置されている。そして、第１の送信アンテナ３４０ａと、第２の送信アンテナ３４０ｂと、は互いに対向する部分の周縁部に離間して設置されている。また、吐水ヘッド部３０２の内部であって、第１の送信アンテナ３４０ａと、第２の送信アンテナ３４０ｂと、の間には、反射部３８１が設けられている。その他の構造については、図６に表したヘッド部３００の構造と同様である。
【００６２】
これによれば、第１の送信アンテナ３４０ａから放射された無線信号３４１ａと、第２の送信アンテナ３４０ｂから放射された無線信号３４１ｂと、は、図１４に表したように、互いに反対方向であって左右側方にそれそれ放射される。また、第１の送信アンテナ３４０ａと、第２の送信アンテナ３４０ｂと、の間には、反射部３８１が設けられているため、その反射部３８１は、第１の送信アンテナ３４０ａから放射された無線信号３４１ａと、第２の送信アンテナ３４０ｂから放射された無線信号３４１ｂと、の放射方向を互いに相違させることができる。
【００６３】
したがって、第１および第２の送信アンテナ３４０ａ、３４０ｂからのそれぞれの無線信号３４１ａ、３４１ｂは、左右側方へより広範囲に放射され、本体部１００は、ヘッド部３００からの無線信号を認識できる。そのため、マルチパスフェージングを解消させることができる。また、その他の効果についても、図６および図７に関して前述した効果と同様の効果を得ることができる。
【００６４】
なお、図１４に表したヘッド部３００では、第１および第２の送信アンテナ３４０ａ、３４０ｂは、吐水ヘッド部３０２の左右側方の周縁部にそれぞれ設置されているが、これだけに限定されるわけではない。例えば、第１および第２の送信アンテナ３４０ａ、３４０ｂは、前後方の周縁部、すなわちヘッド部３００の長手方向の互いに対向する部分の周縁部にそれぞれ設置されていてもよい。この場合には、第１および第２の送信アンテナ３４０ａ、３４０ｂからのそれぞれの無線信号３４１ａ、３４１ｂは、前後方へより広範囲に放射される。
【００６５】
以上説明したように、本実施形態によれば、ヘッド部３００は、第１の送信アンテナ３４０ａ、３４０ｃと、第２の送信アンテナ３４０ｂ、３４０ｄと、から同時に同じデータの無線信号を送信する。あるいは、ヘッド部３００は、第１の送信アンテナ３４０ａ、３４０ｃと、第２の送信アンテナ３４０ｂ、３４０ｄと、のいずれか一方から交互に同じデータの無線信号を送信する。また、ヘッド部３００の内部には、反射部３８１や載置部３８３などが設けられている。そのため、反射部３８１や載置部３８３などの放射方向相違部は、第１の送信アンテナ３４０ａ、３４０ｃから放射された無線信号３４１ａ、３４１ｃと、第２の送信アンテナ３４０ｂ、３４０ｄから放射された無線信号３４１ｂ、３４１ｄと、の放射方向を互いに相違させることができる。そのため、第１の送信アンテナ３４０ａ、３４０ｃおよび第２の送信アンテナ３４０ｂ、３４０ｄの少なくともいずれかからの無線信号を受信アンテナ１１０が受信することにより、本体部１００は、ヘッド部３００からの無線信号をより確実に認識できる。すなわち、ヘッド部３００内のような限られた空間内に複数の送信アンテナを設置させる場合であっても、例えば図６〜図１４に表した具体例のように送信アンテナを設置し、複数の送信アンテナから放射された無線信号のそれぞれの放射方向を互いに相違させることにより、マルチパスフェージングを解消させることができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本体部１００やヘッド部３００などが備える各要素の形状、寸法、材質、配置などや第１および第２の送信アンテナ３４０ａ、３４０ｂおよび受信アンテナ１１０の設置形態などは、例示したものに限定されるわけではなく適宜変更することができる。すなわち、本実施形態では、２つの送信アンテナが設置された場合を例に挙げて説明したが、これだけに限定されず、３つ以上の送信アンテナが設置されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１００ 本体部、  １０１ ケーシング、  １１０ 受信アンテナ、  １２０ 受信制御部、  １３０ 電源供給部、  １４０ａ、１４０ｂ、１４０ｃ 電磁弁、  ２００ ホース部、  ３００ ヘッド部、  ３０１ 把持部、  ３０２ 吐水ヘッド部、  ３０３ ホース接続部、  ３０４ 流路、  ３０５ 貯留部、  ３１０ 電源供給部、  ３２０ 送信制御部、  ３３０ 通信部、  ３４０ａ、３４０ｂ、３４０ｃ、３４０ｄ 送信アンテナ、  ３４１ａ、３４１ｂ、３４１ｃ、３４１ｄ 無線信号、  ３５０ 操作部、  ３５１ 流調スイッチ、  ３５２ 切スイッチ、  ３６０ アンテナ切換部、  ３７０ 吐水部、  ３８１ 反射部、  ３８３ 載置部、  ３８３ａ、３８３ｂ 載置面、  ３８５ 反射部
【図１】
2010178893.tif 000003
【図２】
2010178893.tif 000004
【図３】
2010178893.tif 000005
【図４】
2010178893.tif 000006
【図５】
2010178893.tif 000007
【図６】
2010178893.tif 000008
【図７】
2010178893.tif 000009
【図８】
2010178893.tif 000010
【図９】
2010178893.tif 000011
【図１０】
2010178893.tif 000012
【図１１】
2010178893.tif 000013
【図１２】
2010178893.tif 000014
【図１３】
2010178893.tif 000015
【図１４】
2010178893.tif 000016